(57)【要約】【課題】加湿フィルターの上方から水を供給する加湿装置において、運転開始時における生乾き臭の発生を抑制した加湿装置を提供することを目的とする。【解決手段】本体ケース１内に、水を保水する加湿フィルター１２と、供給部１５へ貯水容器１１内の水を送るポンプ部１４と、本体ケース１外の空気を吸込口７から吸い込み、加湿フィルター１２を介して吹出口８から吹き出す送風部３と、制御部（図示せず）と、を備え、前記制御部は、ポンプ部１４を運転させ加湿フィルター１２へ水を供給する準備運転と、ポンプ部１４を運転させ加湿フィルター１２へ水を供給し送風部３を運転する加湿運転とを備え、前記制御部は、操作部９によって前記制御部の動作をオンにされると、前記準備運転の後に前記加湿運転を行う。【選択図】図２
2018138832.tif 000002
【特許請求の範囲】
【請求項１】
吸込口と吹出口を有する本体ケースを有し、
前記本体ケース内に、
水を貯水する貯水容器と、
水を保水する加湿フィルターと、
前記加湿フィルターの上方に設けられ前記加湿フィルターへ水を供給する供給部と、
前記供給部へ前記貯水容器内の水を送るポンプ部と、
前記本体ケース外の空気を前記吸込口から吸い込み、前記加湿フィルターを介して前記吹出口から吹き出す送風部と、
前記ポンプ部と前記送風部を制御する制御部と、
前記制御部の動作をオンまたはオフにする操作部と、を備え、
前記制御部は、
前記ポンプ部を運転させ前記加湿フィルターへ水を供給する準備運転と、
前記ポンプ部を運転させ前記加湿フィルターへ水を供給し前記送風部を運転する加湿運転とを備え、
前記制御部は、前記操作部によって前記制御部の動作をオンにされると、前記準備運転の後に前記加湿運転を行う加湿装置。
【請求項２】
前記制御部と商用電源とが、電気的に繋がれたことを検知する電源検知部を備え、
前記制御部は、
前記電源検知部が前記制御部と商用電源とが電気的に繋がれたことを検知し、前記操作部によって前記制御部の動作がオンにされると、前記準備運転の後に前記加湿運転を行う請求項１に記載の加湿装置。
【請求項３】
前記制御部と商用電源とが電気的に繋がれた状態で、前記加湿運転が停止されてから前記操作部によって前記制御部の動作がオンされるまでの時間を測定する運転間隔時間測定部を備え、
前記制御部は、
前記操作部によって前記制御部の動作をオンにされ、
前記運転間隔時間測定部の測定時間が準備運転有効停止時間以上の場合には前記準備運転の後に前記加湿運転を行い、
前記運転間隔時間測定部の測定時間が前記準備運転有効停止時間未満の場合には前記加湿運転を行う請求項２に記載の加湿装置。
【請求項４】
前記準備運転開始から前記準備運転停止までの時間を測定する準備運転時間測定部を備え、
前記制御部は、
前記制御部と商用電源とが電気的に繋がれた状態で、
前記準備運転中に前記操作部によって前記制御部の動作をオフにされ、再び前記操作部によって前記制御部の動作をオンにされたときには、
前記準備運転時間測定部の測定時間が準備運転有効時間未満の場合には前記準備運転の後に前記加湿運転を行い、
前記準備運転時間測定部の測定時間が前記準備運転有効時間以上の場合には前記加湿運転を行う請求項２または３に記載の加湿装置。
【請求項５】
前記操作部は表示部を備え、
前記表示部は、前記準備運転中であることを点灯または点滅もしくは消灯により表示する請求項４に記載の加湿装置。
【発明の詳細な説明】
【技術分野】
【０００１】
本発明は、本体ケースに装着された加湿フィルターの上部から水分を供給して加湿を行う加湿装置に関するものである。
【背景技術】
【０００２】
従来、この種の加湿装置は、飲料容器を利用したものがある（例えば、特許文献１参照）。
【０００３】
以下、その加湿装置について説明する。
【０００４】
加湿機装置は、送風機と、気化用フィルターと、飲料容器と、可撓性汲み上げ管と、給水ポンプと、運転スイッチと、を備えている。給水ポンプは気化用フィルターの上に近接配置されており、飲料容器内に収容された水道水等の加湿水を可撓性汲み上げ管を介して汲み上げ、気化用フィルターへ給水する。そして、送風機の運転開始に伴って、空気が加湿機本体内に吸込まれ、この空気流は気化用フィルターを通過する際に、気化用フィルターに含浸された水分を気化させて湿り空気流となり、この湿り空気流が加湿機本体の外部へ吹き出されることで室内を加湿する。
【先行技術文献】
【特許文献】
【０００５】
【特許文献１】特開２００３−１８５１９７号公報
【発明の概要】
【発明が解決しようとする課題】
【０００６】
このような従来の加湿装置においては、運転スイッチをオン操作すると、送風機が駆動するとともに、給水ポンプが駆動する構成となっている。そのため、気化用フィルターが乾いた状態あるいは生乾きの状態で送風することにより、運転開始時において生乾き臭が生ずることがあるという課題を有していた。
【０００７】
そこで本発明は、上記従来の課題を解決するものであり、運転開始時における生乾き臭の発生を抑制した加湿装置を提供することを目的とする。
【課題を解決するための手段】
【０００８】
そして、この目的を達成するために、本発明は、吸込口と吹出口を有する本体ケースを有し、前記本体ケース内に、水を貯水する貯水容器と、水を保水する加湿フィルターと、前記加湿フィルターの上方に設けられ前記加湿フィルターへ水を供給する供給部と、前記供給部へ前記貯水容器内の水を送るポンプ部と、前記本体ケース外の空気を前記吸込口から吸い込み、前記加湿フィルターを介して前記吹出口から吹き出す送風部と、前記ポンプ部と前記送風部を制御する制御部と、前記制御部の動作をオンまたはオフにする操作部と、を備え、前記制御部は、前記ポンプ部を運転させ前記加湿フィルターへ水を供給する準備運転と、前記ポンプ部を運転させ前記加湿フィルターへ水を供給し前記送風部を運転する加湿運転とを備え、前記制御部は、前記操作部によって前記制御部の動作をオンにされると、前記準備運転の後に前記加湿運転を行うものであり、これにより所期の目的を達成するものである。
【発明の効果】
【０００９】
本発明によれば、準備運転により加湿フィルターが湿った状態で送風部を運転させるので、生乾き臭の発生を抑制することができるという効果を奏する。
【図面の簡単な説明】
【００１０】
【図１】本発明の実施の形態１の加湿装置を示す斜視図
【図２】同加湿装置を示す断面図
【図３】同加湿装置の構成図
【図４】同加湿装置の準備運転と加湿運転の動作を示す図
【図５】同加湿装置のフローチャートを示す図
【図６】同加湿装置の表示部を示す図
【図７】同加湿装置の準備運転中の表示部の表示パターンの一例を示す図
【発明を実施するための形態】
【００１１】
本発明の一態様に係る加湿装置は、吸込口と吹出口を有する本体ケースを有し、前記本体ケース内に、水を貯水する貯水容器と、水を保水する加湿フィルターと、前記加湿フィルターの上方に設けられ前記加湿フィルターへ水を供給する供給部と、前記供給部へ前記貯水容器内の水を送るポンプ部と、前記本体ケース外の空気を前記吸込口から吸い込み、前記加湿フィルターを介して前記吹出口から吹き出す送風部と、前記ポンプ部と前記送風部を制御する制御部と、前記制御部の動作をオンまたはオフにする操作部と、を備え、前記制御部は、前記ポンプ部を運転させ前記加湿フィルターへ水を供給する準備運転と、前記ポンプ部を運転させ前記加湿フィルターへ水を供給し前記送風部を運転する加湿運転とを備え、前記制御部は、前記操作部によって前記制御部の動作をオンにされると、前記準備運転の後に前記加湿運転を行う。これにより、加湿フィルターが湿った状態で送風部を運転させるので、生乾き臭の発生を抑制することができる。
【００１２】
また、前記制御部と商用電源とが、電気的に繋がれたことを検知する電源検知部を備え、前記制御部は、前記電源検知部が前記制御部と商用電源とが電気的に繋がれたことを検知し、前記操作部によって前記制御部の動作がオンにされると、前記準備運転の後に前記加湿運転を行う構成としてもよい。これにより、前記制御部と商用電源とが電気的に繋がれていなかった、すなわち、乾いた状態あるいは生乾きの状態にある可能性がより高い加湿フィルターを準備運転によって湿らせる。加湿フィルターを湿らせてから送風部を運転させることで、生乾き臭の発生を抑制することができる。
【００１３】
また、前記制御部と商用電源とが電気的に繋がれた状態で、前記加湿運転が停止されてから前記操作部によって前記制御部の動作がオンされるまでの時間を測定する運転間隔時間測定部を備え、前記制御部は、前記操作部によって前記制御部の動作をオンにされ、前記運転間隔時間測定部の測定時間が準備運転有効停止時間以上の場合には前記準備運転の後に前記加湿運転を行い、前記運転間隔時間測定部の測定時間が前記準備運転有効停止時間未満の場合には前記加湿運転を行う構成としてもよい。これにより、電源とは電気的に繋がれていたが、加湿フィルターが乾いた状態あるいは生乾きの状態にある場合においても、生乾き臭を抑制することができる。
【００１４】
また、前記準備運転開始から前記準備運転停止までの時間を測定する準備運転時間測定部を備え、前記制御部は、前記制御部と商用電源とが電気的に繋がれた状態で、前記準備運転中に前記操作部によって前記制御部の動作をオフにされ、再び前記操作部によって前記制御部の動作をオンにされたときには、前記準備運転時間測定部の測定時間が準備運転有効時間未満の場合には前記準備運転の後に前記加湿運転を行い、前記準備運転時間測定部の測定時間が前記準備運転有効時間以上の場合には前記加湿運転を行う構成としてもよい。これにより、加湿フィルターの保水が不十分な状態で準備運転が終了してしまっても、運転再開時に再度準備運転を行うので、生乾き臭を抑制することができる。また、準備運転中に、加湿フィルターの保水が十分な状態で準備運転が終了した場合は、運転再開時に準備運転を行わないので、速やかに加湿運転を行うことができる。さらに、過剰な準備運転で加湿フィルターに過剰に水が溜まった状態で送風機が運転するおそれが小さくなる。そのため、風に煽られての水飛びと、それに伴う故障などを抑制することができる。
【００１５】
また、前記操作部は表示部を備え、前記表示部は、前記準備運転中であることを点灯または点滅もしくは消灯により表示する構成としてもよい。これにより、加湿装置の故障の疑いなどの違和感を使用者へ与えることを抑制することができる。
【００１６】
以下、本発明の実施の形態について図面を参照しながら説明する。
【００１７】
（実施の形態１）
図１は、本発明の実施の形態１の加湿装置を示す斜視図である。図２は、本発明の実施の形態１の加湿装置を示す断面図である。図２は、本体ケースにおける右側から見た状態である。
【００１８】
図１、図２に示すように、加湿装置は、本体ケース１と、本体ケース１内に設けられた加湿部材２と、送風部３とを備えている。
【００１９】
本体ケース１は、縦長の箱形状であり、本体ケース１内は、水平に設けられた平板形状の仕切板部４によって、第１の空間部５と第２の空間部６とに仕切られている。第１の空間部５は、第２の空間部６の上方に配置されている。本体ケース１の外周面の前面側には吸込口７を備えている。本体ケース１の天面の背面側には吹出口８が備えられ、本体ケース１の天面の前面側には操作部９が備えられている。操作部９は、室内の湿度などを表示する表示部９Ａを備えている。また、操作部９の内部には制御部（図示せず）が備えられている。操作部９の操作により、制御部のオンまたはオフなどの加湿装置の動作を指示する。
【００２０】
吸込口７と吹出口８は、本体ケース１外と第１の空間部５とを連通している。本体ケース１における第１の空間部５内には、吸込口７と吹出口８とを連通する風路１０を有している。
【００２１】
加湿部材２は、貯水容器１１と、加湿フィルター１２と、水供給部材１３とを備えている。
【００２２】
貯水容器１１は、上方が開口した椀形状であり、水を貯水することができる。貯水容器１１は、第２の空間部６内に設けられ、本体ケース１における前面側から着脱可能に装着されている。貯水容器１１を本体ケース１における前面側へ引き出すと、本体ケース１から貯水容器１１が外れる。
【００２３】
加湿フィルター１２は、平板形状であり、多くの繊維を備え、繊維と繊維の間に水を保水することができる。加湿フィルター１２は、第１の空間部５内に、吸込口７と加湿フィルター１２の平面部が対向するように設けられている。貯水容器１１内の水が、水供給部材１３によって加湿フィルター１２の上方から供給される。
【００２４】
水供給部材１３は、ポンプ部１４と、供給部１５と、トレイ部１６とを備えている。ポンプ部１４は、貯水容器１１内の水を加湿フィルター１２の上部に設けられた供給部１５へ供給し、供給部１５から供給部１５内の水が加湿フィルター１２へ滴下する。加湿フィルター１２で保水されない余剰水は、加湿フィルター１２に下部に設けられたトレイ部１６を介して貯水容器１１へ戻される。
【００２５】
ポンプ部１４は、ポンプ１７と、ポンプモータ１８と、第１の管１９と、第２の管２０と、連結ユニット２１とを備えている。
【００２６】
ポンプ１７は、一例として、ケーシング内で羽根車が回転することにより送水する遠心ポンプである。ポンプ１７は、貯水容器１１内に設けられ、第１の管１９の一方側の端部と接続されている。ポンプ１７は、ポンプモータ１８によって駆動すると、貯水容器１１内の水を吸い上げ、筒形状である第１の管１９へ水を送る。
【００２７】
ポンプモータ１８は、ポンプ１７と対向し、貯水容器１１の外側である第２の空間部６に設けられている。ポンプモータ１８の回転軸（図示せず）には、磁石（図示せず）が固定されている。ポンプ１７内には、磁石がインサート成形された羽根車が回転自在に設けられている。貯水容器１１が本体ケース１に装着された状態で、ポンプモータ１８の磁石の回転軸と、ポンプ１７内の羽根車（図示せず）の回転軸は、同軸上に配置されており、近接することにより、磁力により回転が同期することになる。ポンプモータ１８の磁石が回転することによって、ポンプ１７内の羽根車が回転し、ポンプ１７は貯水容器１１内の水を吸い上げ、第１の管１９へ水を送る。
【００２８】
連結ユニット２１は、第１の連結部２２と第２の連結部２３とを有している。第１の連結部２２と第２の連結部２３とは着脱自在な構成である。
【００２９】
第１の連結部２２は、第１の管１９の他端側の端部に接続されている。貯水容器１１を本体ケース１における前面側へ引き出すと、第１の連結部２２は第２の連結部２３から外れ、貯水容器１１とポンプ１７と第１の管１９と第１の連結部２２とが一体となって本体ケース１から外れる。
【００３０】
第２の連結部２３は、仕切板部４の下面に固定され、第２の管２０の一方側の端部と接続されている。連結ユニット２１である第１の連結部２２と第２の連結部２３は、第１の管１９と第２の管２０とを連通している。ポンプ１７によって、第１の管１９へ送られた水は、連結ユニット２１を介して、筒形状である第２の管２０へ送られる。第２の管２０の他方側の端部は、供給部１５に接続されている。第２の管２０は、仕切板部４における孔である第１の連通部４Ａを介して、第２の空間部６から第１の空間部５へ延びている。なお、第２の管２０の外面は、第１の連通部４Ａである孔に嵌っており、第２の管２０と第１の連通部４Ａとの間には実質的な隙間が無い状態である。
【００３１】
供給部１５は、加湿フィルター１２の上端部の上方に配置され、第２の管２０から送られた水を、加湿フィルター１２へ滴下する。
【００３２】
トレイ部１６は、加湿フィルター１２の下端部の下方に配置され、仕切板部４に固定されている。トレイ部１６は、仕切板部４における孔である第２の連通部４Ｂを介して、第１の空間部５から第２の空間部６へ延びている。加湿フィルター１２で保水されない余剰水は、トレイ部１６を介して貯水容器１１へ戻される。なお、トレイ部１６の外面は、第２の連通部４Ｂである孔に嵌っており、トレイ部１６と第２の連通部４Ｂとの間には実質的な隙間が無い状態である。
【００３３】
供給部１５と加湿フィルター１２とトレイ部１６とによって、第１の空間部５は、第１の前面空間部２４と第１の背面空間部２５の２つの空間に仕切られている。第１の前面空間部２４は、加湿フィルター１２より前面側の空間であり、第１の背面空間部２５は、加湿フィルター１２より背面側の空間である。
【００３４】
送風部３は、第１の背面空間部２５に固定されている。送風部３は、スクロール形状のケーシング２６と、ケーシング２６に固定されたモーター２７と、モーター２７によって回転する羽根２８とを備えている。ケーシング２６は、上面に吐出口２９を、前面側に給気口３０を備えている。ケーシングの給気口３０は、加湿フィルター１２と吸込口７とに対向している。
【００３５】
図３は、本発明の実施の形態１の供給部１５の詳細を示す斜視図である。図４は、図３のＢ−Ｂ断面を示す断面図である。
【００３６】
図３、図４に示すように、加湿フィルター１２は、送風部３による風が流通するように開口された枠Ａ３１および枠Ｂ３２により挟み込まれることにより、自立している。枠Ｂ３２の上端部には、供給部１５が備えられている。
【００３７】
供給部１５は、加湿フィルター１２の上端部で一旦、水を貯水する貯水部分３３と、ポンプ部１４から搬送されてきた水が貯水部分３３へ流入する流入部分３４と、貯水部分３３の水を加湿フィルター１２へ流出する流出部分３５とを備え、流出部分３５には、一定量の水を一旦貯水する堰３６を備えている。本実施の形態では、流入部分３４は加湿フィルター１２の上部で中央部に１個設け、流出部分３５は加湿フィルター１２の上部で等間隔に複数個設けている。また、貯水部分３３の底面は堰３６の方向に向かって下り傾斜となっている。
【００３８】
流出部分３５には、水の表面張力の作用を抑制し水が堰３６を乗り越えやすくする誘導部分３７を設けている。誘導部分３７は、堰３６の上面から上方へ突出した第１のリブ３８を備えるとともに、第１のリブ３８から貯水側に伸びた第２のリブ３９を備え、さらに、第２のリブ３９は、下方へ伸び、一部が堰３６内の水中に入り込んでいる。また、誘導部分３７は、第１のリブ３８から貯水側とは反対方向に伸びた第３のリブ４０を備え、第３のリブ４０は、加湿フィルター１２方向に伸び一部が加湿フィルター１２に接触または入り込んでいる。
【００３９】
堰３６を水が乗り越える際、表面張力の影響で水面が盛り上がり、表面張力を超えて水が供給された時に、一気に水が堰３６を乗り越えて加湿フィルター１２に供給されることになる。この場合、急激に水が流れたり、複数個ある流出部分３５で、一部の流出部分３５からのみ水が流れたりするなどの不均一が生じることになる。誘導部分３７は、上記を抑制するために、堰３６の部分で敢えて表面張力が起こる端の部分の形状を複雑に入り組ませ、表面張力の作用を最小限に抑制している。また、誘導部分３７を貯水部分３３の水や、加湿フィルター１２に接触または入り込ませることにより、水が流れ始めると接触した加湿フィルター１２が水の粘性の作用で水を引き寄せるようになり、表面張力の影響を最小限にすることができる。
【００４０】
ポンプ部１４により搬送された水は、流入部分３４から貯水部分３３へ送られ、堰３６により一旦貯水される。そして、給水により堰３６を越えた水が加湿フィルター１２へ供給される。複数の流出部分３５に設けられた堰３６は同じ高さで配置されており、ほぼ同じ量の水がそれぞれの堰３６を越えて加湿フィルター１２へ供給される。このように加湿フィルター１２に均一に水は供給される。
【００４１】
さらに、流出部分３５は加湿フィルター１２の送風方向の上流部に設けられており、加湿フィルター１２の上部で送風方向の上流側に水が供給されることになる。水は加湿フィルター１２内を流下しながらその浸水作用により加湿フィルター１２内で広がりながら給水されていく。送風の作用でさらに広がると共に、加湿フィルター１２の送風方向後端部での水の過剰浸水部分の生成を抑制し風に煽られての水飛びを抑制する作用がある。
【００４２】
図３は、本発明の実施の形態１の加湿装置の構成図である。図４は、本発明の実施の形態１の加湿装置の準備運転と加湿運転の動作を示す図である。
【００４３】
図２、図３、図４に示すように、本体ケース１の上部には、操作部９と制御部４２とを有している。操作部９は、加湿装置における加湿動作をオンまたはオフにするスイッチを有している。加湿装置は、操作部９のスイッチによってオンになると、制御部４２の動作がオンになり加湿動作を開始する。加湿動作は、制御部４２によって制御される。具体的には、制御部４２は、ポンプ部１４と、送風部３との動作を制御する。制御部４２は、加湿動作の運転モードとして準備運転４３と加湿運転４４とを備えている。
【００４４】
準備運転４３では、制御部４２は、ポンプ部１４を連続運転させ、上述のように供給部１５を介して加湿フィルター１２への水の供給を行う。なお、準備運転４３中は送風部３の運転は停止している。
【００４５】
加湿運転４４では、制御部４２は、ポンプ部１４を断続運転させ加湿フィルター１２への水の供給を行うだけでなく、送風部３を運転させる。送風部３のモーター２７によって羽根２８が回転すると、本体ケース１外の空気が、吸込口７から第１の空間部５内へ吸い込まれ、加湿フィルター１２へ送風される。保水した加湿フィルター１２を通過するときに空気が加湿され、この加湿された空気が、送風部３の給気口３０、吐出口２９を介して、吹出口８から本体ケース１外へ送風される。
【００４６】
加湿装置は、運転開始時に、操作部９によって制御部４２の動作をオンにされると、制御部４２が、準備運転４３の後に加湿運転４４を行う。具体的には、まず、準備運転４３では、送風部３によって加湿フィルター１２への送風を行わずに、ポンプ部１４だけを運転させ、加湿フィルター１２への水の供給を行う。次に、加湿運転４４では、加湿フィルター１２が湿った後で、ポンプ部１４の運転を継続させ、加湿フィルター１２への水の供給を行いながら加湿フィルター１２へ送風を開始する。これにより、加湿フィルター１２が湿った状態で送風部３を運転させるので、生乾き臭の発生を抑制することができる。
【００４７】
また、加湿装置を動作させるときに、すでに加湿装置から延びた電源コード（図示せず）が、商用電源（図示せず）に接続されていた状態で、加湿装置を運転させる場合に比べ、加湿装置を動作させるときに、加湿装置から延びた電源コードが、商用電源に接続されていなかった状態から、加湿装置から延びた電源コードを商用電源に接続し、加湿装置を運転させる方が、加湿フィルター１２は乾いた状態あるいは生乾きの状態にある可能性がより高いと考えられる。ここでいう商用電源とは、たとえば家庭用コンセントなどである。
【００４８】
そこで、加湿装置は、制御部４２と商用電源とが、電気的に繋がれたことを検知する電源検知部４５を備えていることが好ましい。電源検知部４５は、制御部と電気的に接続されている。この場合、電源検知部４５が制御部４２と商用電源とが電気的に繋がれたことを検知し、操作部９によって制御部４２の動作がオンにされると、制御部４２は準備運転４３を開始させる。そして、制御部４２は準備運転４３の後に加湿運転４４を行うよう制御する。
【００４９】
このように、制御部４２と商用電源とが電気的に繋がれていなかった、すなわち、乾いた状態あるいは生乾きの状態にある可能性がより高い加湿フィルター１２を準備運転４３によって湿らせる。加湿フィルター１２を湿らせてから送風部３を運転させることで、生乾き臭の発生を抑制することができる。
【００５０】
また、加湿装置は、制御部４２と商用電源とが電気的に繋がれた状態で、加湿運転４４が停止されてから操作部９によって制御部４２の動作がオンされるまでの時間である運転間隔時間Ｔ１を測定する運転間隔時間測定部４６を備えていることが好ましい。運転間隔時間測定部４６は、タイマーを備え、制御部４２と電気的に接続されている。
【００５１】
この場合、制御部４２は、制御部４２と商用電源とが電気的に繋がれた状態で、準備運転中に操作部９によって制御部４２の動作をオフにされ、再び操作部９によって制御部４２の動作をオンにされたときには、次のいずれかの動作を行う。運転間隔時間測定部４６の測定時間である運転間隔時間Ｔ１が準備運転有効停止時間Ｔ２以上の場合すなわち加湿フィルター１２が乾いているまたは生乾きの状態である場合には、準備運転４３の後に加湿運転４４を行う。また、運転間隔時間測定部の測定時間である運転間隔時間Ｔ１が準備運転有効停止時間Ｔ２未満すなわち加湿フィルター１２が十分に湿っている場合には、準備運転４３を行わず、加湿運転４４を行う。なお、準備運転有効停止時間Ｔ２とは、前回の加湿運転４４での加湿フィルター１２への水の供給により加湿フィルター１２が十分に湿った状態を維持する時間である。準備運転有効停止時間Ｔ２の一例は、１時間である。
【００５２】
これにより、加湿装置は、制御部４２と商用電源とが電気的に繋がれていたが、加湿フィルター１２が乾いた状態あるいは生乾きの状態にある場合においても、生乾き臭を抑制することができる。
【００５３】
また、加湿装置は、準備運転開始から準備運転停止までの時間である準備運転時間Ｔ３を測定する準備運転時間測定部４７を備えていることが好ましい。準備運転時間測定部４７はタイマーを備え、制御部４２と電気的に接続されている。
【００５４】
この場合、制御部４２は、制御部４２と商用電源とが電気的に繋がれた状態で、準備運転４３中に操作部９によって制御部４２の動作をオフにされ、その後再び操作部９によって制御部４２の動作をオンにされたときには、次のいずれかの動作を行う。準備運転時間測定部４７の測定時間である準備運転時間Ｔ３が準備運転有効時間Ｔ４未満の場合、すなわち加湿フィルター１２が乾いているまたは生乾きの状態である場合には、準備運転の後に加湿運転を行う。また、準備運転時間測定部４７の測定時間である準備運転時間Ｔ３が準備運転有効時間Ｔ４以上の場合、すなわち加湿フィルター１２が十分に湿っている場合には、準備運転４３を行わず、加湿運転４４を行う。なお、準備運転有効時間Ｔ４とは、準備運転開始から、準備運転での加湿フィルター１２への水の供給により加湿フィルター１２が十分に湿った状態になるまでの時間である。準備運転有効時間Ｔ４の一例は、６０秒である。
【００５５】
これにより、加湿フィルター１２の保水が不十分な状態で準備運転が終了してしまっても、運転再開時に再度準備運転４３を行うので、生乾き臭を抑制することができる。また、準備運転４３中に、加湿フィルター１２の保水が十分な状態で準備運転が終了した場合は、運転再開時に準備運転４３を行わないので、速やかに加湿運転４４を行うことができる。さらに、過剰な準備運転４３で加湿フィルター１２に過剰に水が溜まった状態で送風部３が運転するおそれが小さくなる。そのため、風に煽られての水飛びと、それに伴う故障などを抑制することができる。
【００５６】
また、電源検知部４５、運転間隔時間測定部４６および準備運転時間測定部４７は制御部４２と一体であってもよい。
【００５７】
図５は、本発明の実施の形態１の加湿装置のフローチャートを示す図である。
【００５８】
図５に示すように、Ｓ１では、操作部９によって加湿装置をオンにすると、加湿動作の運転開始となり、Ｓ２に進む。
【００５９】
Ｓ２では、制御部４２が、今回の運転は、電源検知部４５が制御部４２と商用電源とが電気的に繋がれたことを検知した後、初めての運転なのか、２回目以降の運転なのかを判別する。今回の運転が、初回運転の場合には、準備運転４３であるＳ６に進む。一方、２回目以降の運転の場合には、Ｓ３へ進む。
【００６０】
Ｓ３では、制御部４２は、運転間隔時間測定部４６が測定した運転間隔時間Ｔ１が、準備運転有効停止時間Ｔ２以上なのか、準備運転有効停止時間Ｔ２未満なのかを判別する。制御部４２は、運転間隔時間測定部４６が測定した運転間隔時間Ｔ１が、準備運転有効停止時間Ｔ２以上の場合、すなわち加湿フィルターが乾いているまたは生乾きの状態である場合には、準備運転４３であるＳ６に進む。一方、制御部４２は、運転間隔時間測定部４６が測定した運転間隔時間Ｔ１が、準備運転有効停止時間Ｔ２未満すなわち加湿フィルター１２が十分に湿っている場合には、Ｓ４へ進む。
【００６１】
Ｓ４では、制御部４２は、準備運転時間測定部４７が測定した準備運転時間Ｔ３が、準備運転有効時間Ｔ４以上なのか、準備運転有効時間Ｔ４未満なのかを判別する。制御部４２は、準備運転時間測定部４７が測定した準備運転時間Ｔ３が準備運転有効時間Ｔ４以上の場合、すなわち加湿フィルターが十分に湿っている場合には、加湿運転であるＳ５へ進む。一方、制御部４２は、準備運転時間測定部４７が測定した準備運転時間Ｔ３が準備運転有効時間Ｔ４未満の場合、すなわち加湿フィルター１２が乾いているまたは生乾きの状態である場合には、準備運転４３であるＳ６に進む。
【００６２】
Ｓ５では、制御部４２は、ポンプ部１４を断続運転させ加湿フィルター１２への水の供給を行いながら、送風部３を運転させる加湿運転４４を行う。
【００６３】
Ｓ６では、制御部４２は、ポンプ部１４を連続運転させ、加湿フィルター１２への水の供給を行い、Ｓ７へ進む。
【００６４】
Ｓ７では、準備運転時間測定部４７が、ポンプ部１４の駆動時間を積算し、Ｓ８へ進む。
【００６５】
Ｓ８では、制御部４２は、準備運転時間測定部４７が積算した準備運転時間Ｔ３が、準備運転完了時間Ｔ５未満なのか、準備運転完了時間Ｔ５以上なのかを判別する。制御部４２は、準備運転時間測定部４７が積算した準備運転時間Ｔ３が、準備運転完了時間Ｔ５未満の場合、すなわち加湿フィルターが乾いているまたは生乾きの状態である場合には、Ｓ７にもどる。一方、制御部４２は、準備運転時間測定部４７が積算した準備運転時間Ｔ３が、準備運転完了時間Ｔ５以上の場合には、加湿運転であるＳ５へ進む。
【００６６】
なお、準備運転有効停止時間Ｔ２、準備運転有効時間Ｔ４、準備運転完了時間Ｔ５は所定の時間であるとする。たとえば、準備運転完了時間Ｔ５を１２０秒とすると、準備運転有効時間Ｔ４は６０秒、準備運転有効停止時間Ｔ２は１時間であることが好ましい。
【００６７】
図６は、本発明の実施の形態１の加湿装置の表示部を示す図である。
【００６８】
図６に示すように、加湿装置は準備運転中であることを表示部９Ａにより表示することが好ましい。表示部９Ａは、たとえばＬＥＤなどの光源（以下、表示ランプとする。）の点灯または点滅もしくは消灯により室内の湿度などを表示する。
【００６９】
ここで、表示部９Ａについて一例を説明する。表示部９Ａは、現在湿度の目安を示す５つの表示ランプを備えている。５つの表示ランプはそれぞれ室内の湿度を示すものであり、左から３０％ＬＥＤ、４０％ＬＥＤ、５０％ＬＥＤ、６０％ＬＥＤ、７０％ＬＥＤである。たとえば、３０％ＬＥＤが点灯している場合は室内の湿度が約３０％であることを示す。
【００７０】
図７は、本発明の実施の形態１の加湿装置の表示部の表示パターンを示す図である。
【００７１】
図７に示すように、準備運転中は、５つの表示ランプの消灯および点灯が図のように繰り返されることで使用者に準備運転中であることを示す。このとき、消灯および点灯の切替間隔は１秒であることが好ましい。また、３０％ＬＥＤおよび７０％ＬＥＤは赤色で、４０％ＬＥＤ、５０％ＬＥＤおよび６０％ＬＥＤは緑色で点灯または点滅することが好ましい。
【産業上の利用可能性】
【００７２】
本発明にかかる加湿装置は、家庭用や事務所用などに使用される加湿装置等として有用である。
【符号の説明】
【００７３】
１    本体ケース
２    加湿部材
３    送風部
４    仕切板部
４Ａ    第１の連通部
４Ｂ    第２の連通部
５    第１の空間部
６    第２の空間部
７    吸込口
８    吹出口
９    操作部
９Ａ    表示部
１０    風路
１１    貯水容器
１２    加湿フィルター
１３    水供給部材
１４    ポンプ部
１５    供給部
１６    トレイ部
１７    ポンプ
１８    ポンプモータ
１９    第１の管
２０    第２の管
２１    連結ユニット
２２    第１の連結部
２３    第２の連結部
２４    第１の前面空間部
２５    第１の背面空間部
２６    ケーシング
２７    モーター
２８    羽根
２９    吐出口
３０    給気口
３１    枠Ａ
３２    枠Ｂ
３３    貯水部分
３４    流入部分
３５    流出部分
３６    堰
３７    誘導部分
３８    第１のリブ
３９    第２のリブ
４０    第３のリブ
４２    制御部
４３    準備運転
４４    加湿運転
４５    電源検知部
４６    運転間隔時間測定部
４７    準備運転時間測定部
Ｔ１    運転間隔時間
Ｔ２    準備運転有効停止時間
Ｔ３    準備運転時間
Ｔ４    準備運転有効時間
Ｔ５    準備運転完了時間
【図１】
2018138832.tif 000003
【図２】
2018138832.tif 000004
【図３】
2018138832.tif 000005
【図４】
2018138832.tif 000006
【図５】
2018138832.tif 000007
【図６】
2018138832.tif 000008
【図７】
2018138832.tif 000009